(57)【特許請求の範囲】
【請求項１】
計量カップと共に用いる為の、可撓性および透視性を有する計量シートであって、
該計量シートには、特定のレシピにおける各材料の分量が表示されており、
該計量シートの形状が、略円筒形状の計量カップの側面に巻き付けるのに適した形状であり、
計量カップの側面に該計量シートを巻き付けた状態で固定するための固定用部材が、計量シートの両端に備えられており、
該両端の固定用部材同士を係合することによって上記固定が行われることを特徴とする、計量シート。
【請求項２】
固定用部材が、爪と溝であることを特徴とする、請求項１に記載の計量シート。
【請求項３】
固定用部材が、固定位置を調節する為の調節機構を備えていることを特徴とする、請求項１または２に記載の計量シート。
【発明の詳細な説明】
【技術分野】
【０００１】
本発明は、主に調理等で用いる計量カップと共に使用する、計量シートに関する。
【背景技術】
【０００２】
ドレッシングの調合や、料理に用いる材料、調味料等の分量を計る器具として、計量カップが広く一般に知られている。
この計量カップには目盛が印刷表示されており、該目盛を用いて分量を計ることができる。
【０００３】
また昨今では、ごまドレッシングや和風ドレッシング等の「特定のレシピ」の分量を目盛で表示した計量カップも存在する。
この計量カップを用いてドレッシングを調合する場合、計量カップに表示された目盛に従って材料を投入すれば、正しい比率で材料を調合することができる。
しかし、このような計量カップにおいては、目盛が計量カップ自体に印刷表示されているため、印刷スペースの都合上、一つの計量カップに表示出来る特定のレシピの種類には限度がある。
そのため、より多くのレシピを欲する需要者は、異なるレシピの分量が表示された別の計量カップを別途入手しなければならない。
また、計量カップは一般的に略円筒形状を呈するものが多く、かかる計量カップを複数所持すると、キッチンの収納スペースを圧迫する。
【０００４】
一方、特許文献１に記載されているように、料理の名称及びその原材料名及びその分量を表す表示をしたメニュープレートを作成し、計量カップにメニュープレート差し込み口を設けて、メニュープレートを計量カップの差し込み口に差し込む構成とした計量カップが知られている。
この計量カップによれば、自分の作りたい料理のメニュープレートを選択して計量カップの差し込み口に差し込むことができるので、上述のように計量カップを複数入手する必要が無くなる。
【０００５】
しかし、特許文献１に記載されているような計量カップには、平面状のメニュープレートを装着するための差し込み口を設ける必要がある。
換言すると、引用文献１に記載されているメニュープレートは、差し込み口が設けられた特殊な形状の計量カップに対して用いることはできるが、一般に市販されている略円筒形状の計量カップにこのメニュープレートを差し込むことは出来ないため、メニュープレートを汎用的に用いることが出来ない。
【０００６】
また、計量カップに差し込むメニュープレートにメニューを記載する構成では、メニューを書き込みできる領域が非常に限定されてしまい、充分なメニューの表示ができなくなる不都合もある。
【発明の概要】
【発明が解決しようとする課題】
【０００７】
本発明は、従来技術が有する上述のような不都合な点を解消するためになされたものであり、より多くの特定のレシピを安価に、かつ省資源省スペースで所持することができ、さらに、一般に市販されている略円筒形状の多くの計量カップに対して、汎用的に用いることができるような計量シートを提供することを目的とする。
【課題を解決するための手段】
【０００８】
本発明は上記の課題を解決するためになされたものであり、可撓性および透視性を有する計量シートに、特定のレシピにおける各材料の分量を表示し、該計量シートが、略円筒形状の計量カップの側面に巻き付けるのに適した形状を有することを特徴とする。
【０００９】
本発明に係る計量シートの更なる特徴によれば、計量シートを計量カップの側面に巻き付けて固定することができるように、計量シートの両端に固定用部材を備えている。
【００１０】
好適には、上記固定用部材は爪と溝であって、計量シートを計量カップの側面に巻き付けて、計量シートの両端にそれぞれ備えられた溝同士を係合することにより、爪がひっかかるため、容易に固定を行うことができる。
なお、固定位置を調節するため、計量シートの両端に爪と溝を複数ずつ設けることもできる。
【００１１】
また、計量シートの両端に備えられた固定用部材は、粘着テープや面ファスナー等であってもよい。
【００１２】
すなわち、本発明は以下の通りである。
第１に、計量カップと共に用いる為の、可撓性および透視性を有する計量シートであって、該計量シートには、特定のレシピにおける各材料の分量が表示されており、該計量シートの形状が、略円筒形状の計量カップの側面に巻き付けるのに適した形状であることを特徴とする、計量シートである。
第２に、計量カップの側面に該計量シートを巻き付けた状態で固定するための固定用部材が、計量シートの両端に備えられていることを特徴とする、前記第１に記載の計量シートである。
第３に、固定用部材が、爪と溝であることを特徴とする、前記第２に記載の計量シートである。
第４に、固定用部材が、固定位置を調節する為の調節機構を備えていることを特徴とする、前記第２または第３に記載の計量シートである。
【発明の効果】
【００１３】
特定のレシピにおける各材料の分量を、計量カップにではなく計量シートに表示することにより、新たに計量カップを別途入手しなくとも、計量シートの枚数を増やすだけで、より安価に、より多くのレシピを保持することができる。
また、シート状であれば場所を取らずに重ねて保管しておけるため、多くのレシピを省資源省スペースで保持することができる。
これらに加えて、計量シートを計量カップの側面に巻き付ける方式とした事により、計量カップの一般的な形状である略円筒形状のカップに対して、汎用的に計量シートを用いることができるようになる。
また、特許文献１のようにメニューを表示するスペースがメニュープレートの領域のみに限定されず、計量カップを取り巻く計量シートのほぼ全面をレシピの分量の表示に用いる事ができ、表示の自由度が高くなる。
【図面の簡単な説明】
【００１４】
【図１】本発明による計量シートを示す平面図。
【図２】本発明による計量シートを計量カップの側面に巻き付けた状態を示す斜視図。
【発明を実施するための形態】
【００１５】
図１に示す計量シート１は、プラスチック等の可撓性および透視性を有する材料で形成されている。
計量シート１が透視性を有することで、該計量シートを計量カップに巻き付けた時に計量カップの内部が外から視認できる。
【００１６】
計量シート１は、略円筒形状の計量カップの側面に巻き付けるのに適した形状を有している。
図１の例では、計量シート１は全体として長方形の形状を呈しており、その長方形の両端に、固定用部材が配されている。
【００１７】
この固定用部材は、より具体的には爪１１と溝１２であってよい。
なお、固定位置を調節するため、計量シートの両端に爪と溝が複数ずつ設けられていてもよい。
その他、図示は省略するが、固定用部材として粘着テープや面ファスナー等を用いることもできる。
【００１８】
計量シート１には、特定のレシピにおける各材料の分量を示す目盛１３が表示されている。
該目盛１３は、計量シート１に印刷等の手段で表示することができる。
目盛１３の隣には、各レシピ毎に、透視性の調合用窓１４が配されている。該調合用窓１４の機能については後述する。
【００１９】
図１の例においては、計量シート１に「キウイドレッシング」「トマトドレッシング」「グレープフルーツドレッシング」の３種類の特定のレシピが表示されている。
なお、この例において特定レシピの種類は上記３種類であるが、一枚の計量シート１に表示する特定のレシピの種類数は、表示上の不都合が無い範囲で自由に増減が可能である。
例えば、一枚の計量シート１に５種類の特定のレシピを表示しても良い。
【００２０】
ここで、本発明に係る計量シート１においては、計量シート１のほぼ全面を使用して特定レシピを表示することができる。
このように表示スペースを広く確保することができれば、一枚の計量シート１に対して、より多くの種類の特定のレシピを表示することができる為、有利である。
【００２１】
計量シート１の一端には孔１５が設けられており、計量シート１を販売時に陳列する際や、キッチンにおいて保管する際に、孔１５に棒や紐を通して複数枚の計量シート１をまとめておくことができる。
【００２２】
図２は、図１に記載の計量シート１を、ガラスやプラスチック等で形成された透視性のある計量カップ２の側面に巻き付けた状態を示している。
【００２３】
図２に記載の計量カップ２は、円の直径が７ｃｍ程度の略円筒状のものを想定している。
しかし、例えば直径が５ｃｍの略円筒状の計量カップ２に対しても、上記計量シート１を使用できる。
この場合、計量シート１に表示された目盛１３に従って特定のレシピにおける各材料を投入すれば、例えば「赤ワインビネガー：くるみ油＝１：９」等のように、計量シート１の目盛１３が意図した「比率」で、材料を調合することができる。
このことから分かるように、本発明に係る計量シート１は、該計量シート１を側面に巻き付けることができるような様々な計量カップに対して、汎用的に用いることができる。
【００２４】
計量カップ２の側面に巻き付けた計量シート１の固定は、上述の固定用部材によって行われる。
図示された例においては、固定用部材は爪１１と溝１２であり、巻き付けた計量シート１の両端にそれぞれ備えられた溝１２同士を差し込んで係合することにより、爪１１がひっかかって、計量シート１を固定することができる。
なお、図示は省略するが、粘着テープや面ファスナー等の他の固定手段によって該固定を行うこともできる。
【００２５】
次に、図１および図２を参照しつつ、計量シート１に設けられた調合用窓１４の機能を説明する。
調合用窓１４は透視性を有しており、計量シート１を計量カップ２の側面に巻き付けて固定した際に、計量カップ２の内部を外から視認することができる。
このことにより、調合したい材料が計量カップ２のどこまで投入されているかを外から確認しながら調合を行うことが出来る。
【００２６】
計量シート１に表示された特定レシピ用の目盛１３を用いて、材料の計量、調合を行うには、例えば次のようにすることができる。
まずは、計量シート１を計量カップ２の側面に巻き付けて固定用部材によって固定する。
特定のレシピとして「グレープフルーツドレッシング」を調合したい場合、調合用窓１４を確認しながら、目盛１３の第一の線１３１までＥＸＶオリーブ油を計量カップ２の中に投入し、次いで、目盛１３の第二の線１３２までグレープフルーツの絞り汁を投入する。
最後に塩を小さじ一杯分だけ投入し、マドラー等によって混ぜ合わせれば、グレープフルーツドレッシングが完成する。
【符号の説明】
【００２７】
１      計量シート
１１    爪
１２    溝
１３    目盛
１４    調合用窓
１５    孔
２      計量カップ
【先行技術文献】
【特許文献】
【００２８】
【特許文献１】特開平９−２３８８５３号公報
【図１】
0005583543.tif 000002
【図２】
0005583543.tif 000003